(57)【要約】【課題】２心双方向通信装置間の通信を１本の光ファイバ心線だけを介して回復することができる２心双方向通信網における事故回復方法を提供する。【解決手段】２本の光ファイバ心線７１，７２を第１および第２の２心双方向通信装置５０，６０から切り離すステップＳ１１と、第１の２心双方向通信装置５０に単心双方向通信アダプタ装置１０を接続するとともに、第２の２心双方向通信装置６０に他の単心双方向通信アダプタ装置１０を接続するステップＳ１２と、第１の２心双方向通信装置５０に接続された単心双方向通信アダプタ装置１０と第２の２心双方向通信装置６０に接続された他の単心双方向通信アダプタ装置１０とを１本の光ファイバ心線７２を介して接続するステップＳ１３とを備える。【選択図】  図２
2005333311.tif 000002
【特許請求の範囲】
【請求項１】
送信系と受信系とで別々の光ファイバ心線を用いて通信を行う２心双方向通信網における事故回復方法であって、
２本の光ファイバ心線（７１，７２）を第１および第２の２心双方向通信装置（５０，６０）から切り離す第１のステップ（Ｓ１１）と、
前記第１の２心双方向通信装置（５０）に単心双方向通信アダプタ装置（１０，１１０）を接続するとともに、前記第２の２心双方向通信装置（６０）に他の単心双方向通信アダプタ装置（１０，１１０）を接続する第２のステップ（Ｓ１２）と、
前記第１の２心双方向通信装置に接続された前記単心双方向通信アダプタ装置と前記第２の２心双方向通信装置に接続された前記他の単心双方向通信アダプタ装置とを１本の光ファイバ心線（７２）を介して接続する第３のステップ（Ｓ１３）と、
を備えることを特徴とする、２心双方向通信網における事故回復方法。
【請求項２】
前記第３のステップに続いて、前記第１および第２の２心双方向通信装置間の通信テストを行う第４のステップ（Ｓ１４）をさらに備えることを特徴とする、請求項１記載の２心双方向通信網における事故回復方法。
【請求項３】
前記単心双方向通信アダプタ装置および前記他の単心双方向通信アダプタ装置がそれぞれ、
光カプラ（１１，１１１）と、
該光カプラと前記第１または第２の２心双方向通信装置の光送信部（１，５１，６１）とを接続するための第１のレセプタクル（１２1，１１２1）と、
前記光カプラと前記第１または第２の２心双方向通信装置の光受信部（２，５２，６２）とを接続するための第２のレセプタクル（１２2，１１２2）と、
前記光カプラと前記１本の光ファイバ心線（３，７２）とを接続するための第３のレセプタクル（１２3，１１２3）と、
を備えることを特徴とする、請求項１または２記載の２心双方向通信網における事故回復方法。
【請求項４】
前記単心双方向通信アダプタ装置および前記他の単心双方向通信アダプタ装置それぞれが、前記光カプラと前記第１のレセプタクルとの間に設けられたかつ反射光が該第１のレセプタクルに入射するのを防止するための光アイソレータ（１３，１１３）をさらに備えることを特徴とする、請求項１乃至３いずれかに記載の２心双方向通信網における事故回復方法。
【請求項５】
前記光カプラが２：２の光カプラ（１１）であり、
前記単心双方向通信アダプタ装置（１０）が、
前記光カプラと接続された第４のレセプタクル（１２4）と、
該第４のレセプタクルの前記光カプラと反対側に取付けられた無反射終端コネクタ（１４）とをさらに備える、
ことを特徴とする、請求項１乃至４いずれかに記載の２心双方向通信網における事故回復方法。
【請求項６】
前記光カプラが１：２の光カプラ（１１１）であることを特徴とする、請求項１乃至４いずれかに記載の２心双方向通信網における事故回復方法。
【発明の詳細な説明】
【技術分野】
【０００１】
本発明は、２心双方向通信網における事故回復方法に関し、特に、２つの２心双方向通信装置を接続する２本の光ファイバ心線のうちの１本が事故で切断した場合などにこの２つの２心双方向通信装置間の通信を回復するのに好適な２心双方向通信網における事故回復方法に関する。
【背景技術】
【０００２】
同一波長による光通信機器では、対向する送信装置の送信波長が同じであるため、送信系と受信系は別々の光ファイバ心線を用いて構成されている。すなわち、光送信部と光受信部とを備える２心双方向通信装置を２つの光端局にそれぞれ設け、一方の２心双方向通信装置の光送信部と他方の２心双方向通信装置の光受信部とを光ファイバ心線で接続するとともに、一方の２心双方向通信装置の光受信部と他方の２心双方向通信装置の光送信部とを他の光ファイバ心線で接続することにより、この２心双方向通信装置間の通信を同一波長の光を用いて行っている。
【０００３】
なお、一芯双方向光通信網にも二芯双方向光通信網にも対応することができるようにするために、一芯双方向光通信網の光ファイバの接続端部または二芯双方向光通信網の光ファイバの送信用接続端部が挿入される第１のポートと、二芯双方向光通信網の光ファイバの受信用接続端部が挿入される第２のポートと、第１のポート内にて、挿入された光ファイバの接続端部に対応して配設される発光素子および受光素子と、第２のポート内にて、挿入された光ファイバの接続端部に対応して配設される第２の発光素子とを含む、一芯双方向及び二芯双方向兼用送受信装置が、以下に示す特許文献１に開示されている。
また、二芯型と一芯型光トランシーバを相互に接続して双方向全二重型の光デジタル通信を行うことができるようにするために、双方向全二重方式の光信号を伝送するための単芯の光ファイバから成る光ファイバケーブルであって、単芯の光ファイバの一端部に対して、送信信号光および受信信号光を分配するための光分配器を介して、二芯型コネクタが取り付けられており、単芯の光ファイバの他端部に対して、一芯型光コネクタが取り付けられた光ファイバケーブルおよび光通信装置が、以下に示す特許文献２に開示されている。
【特許文献１】特開２０００−３０７５２４号公報
【特許文献２】特開２００２−２３０１４号公報
【発明の開示】
【発明が解決しようとする課題】
【０００４】
しかしながら、２心双方向通信装置間の通信を行う場合には、送信系と受信系とに別々の光ファイバ心線が必要になるため、この２本の光ファイバ心線のうちの１本だけが事故で切断した場合にも２心双方向通信装置間の通信は不能になる。この２心双方向通信装置間の通信を回復するためには、切断した光ファイバ心線の代わりに光ファイバケーブル内の他の未使用の光ファイバ心線を用いる必要が生じる。そのため、このような事故の回復用に予備の光ファイバ心線を常時用意しておく必要があり、光ファイバ心線数に限りのある光ファイバケーブルの有効活用が図れなくなる。
また、光ファイバケーブル自体が事故で切断すると、切断した光ファイバケーブルの代わりに他の既設の光ファイバケーブルを利用したり新たに光ファイバケーブルを設けたりする必要があるが、この場合にも光ファイバ心線数に限りのある光ファイバケーブルの有効活用が図れるようにしたいという要望がある。
【０００５】
本発明の目的は、２心双方向通信装置間の通信を１本の光ファイバ心線だけを介して回復することができる２心双方向通信網における事故回復方法を提供することにある。
【課題を解決するための手段】
【０００６】
本発明の２心双方向通信網における事故回復方法は、送信系と受信系とで別々の光ファイバ心線を用いて通信を行う２心双方向通信網における事故回復方法であって、２本の光ファイバ心線（７１，７２）を第１および第２の２心双方向通信装置（５０，６０）から切り離す第１のステップ（Ｓ１１）と、前記第１の２心双方向通信装置（５０）に単心双方向通信アダプタ装置（１０，１１０）を接続するとともに、前記第２の２心双方向通信装置（６０）に他の単心双方向通信アダプタ装置（１０，１１０）を接続する第２のステップ（Ｓ１２）と、前記第１の２心双方向通信装置に接続された前記単心双方向通信アダプタ装置と前記第２の２心双方向通信装置に接続された前記他の単心双方向通信アダプタ装置とを１本の光ファイバ心線（７２）を介して接続する第３のステップ（Ｓ１３）とを備えることを特徴とする。
ここで、前記第３のステップに続いて、前記第１および第２の２心双方向通信装置間の通信テストを行う第４のステップ（Ｓ１４）をさらに備えてもよい。
また、前記単心双方向通信アダプタ装置および前記他の単心双方向通信アダプタ装置がそれぞれ、光カプラ（１１，１１１）と、該光カプラと前記第１または第２の２心双方向通信装置の光送信部（１，５１，６１）とを接続するための第１のレセプタクル（１２1，１１２1）と、前記光カプラと前記第１または第２の２心双方向通信装置の光受信部（２，５２，６２）とを接続するための第２のレセプタクル（１２2，１１２2）と、前記光カプラと前記１本の光ファイバ心線（３，７２）とを接続するための第３のレセプタクル（１２3，１１２3）とを備えてもよい。
前記単心双方向通信アダプタ装置および前記他の単心双方向通信アダプタ装置がそれぞれ、前記光カプラと前記第１のレセプタクルとの間に設けられたかつ反射光が該第１のレセプタクルに入射するのを防止するための光アイソレータ（１３，１１３）をさらに備えてもよい。
前記光カプラが２：２の光カプラ（１１）であり、前記単心双方向通信アダプタ装置（１０）が、前記光カプラと接続された第４のレセプタクル（１２4）と、該第４のレセプタクルの前記光カプラと反対側に取付けられた無反射終端コネクタ（１４）とをさらに備えてもよいし、前記光カプラが１：２の光カプラ（１１１）であってもよい。
【発明の効果】
【０００７】
本発明の２心双方向通信網における事故回復方法は、次の効果を有する。
（１）２つの２心双方向通信装置を接続する２本の光ファイバ心線のうちの１本が事故で切断した場合には、この２つの２心双方向通信装置に単心双方向通信アダプタ装置をそれぞれ接続することにより、生きている方の光ファイバ心線のみを介してこの２つの２心双方向通信装置間の通信を回復することができるため、切断した光ファイバ心線の代わりに光ファイバケーブル内の他の光ファイバ心線を用いる必要をなくすことができる。
（２）光ファイバケーブル自体が事故で切断しても、この光ファイバケーブルに接続されている２つの２心双方向通信装置に単心双方向通信アダプタ装置をそれぞれ接続することにより、１本の光ファイバ心線を介してこの２つの２心双方向通信装置間の通信を回復することができるようになるため、切断した光ファイバケーブルの代わりに他の既設の光ファイバケーブルを利用したり新たに光ファイバケーブルを設けたりして事故の回復を行う場合に従来よりも倍の数の２心双方向通信装置間の接続が可能となるので、光ファイバケーブルの有効利用が図れるようになる。
【発明を実施するための最良の形態】
【０００８】
２心双方向通信装置間の通信を１本の光ファイバ心線を用いるだけで回復することができるという目的を、２つの２心双方向通信装置に単心双方向通信アダプタ装置をそれぞれ接続したのちにこの２つの単心双方向通信アダプタ装置を１本の光ファイバ心線を介して接続することにより実現した。
【実施例１】
【０００９】
以下、本発明の２心双方向通信網における事故回復方法の実施例について図面を用いて説明する。
まず、本発明の２心双方向通信網における事故回復方法に用いる２心双方向通信装置用の単心双方向通信アダプタ装置（以下、「単心双方向通信アダプタ装置」と称する。）の一例について説明する。
この例による単心双方向通信アダプタ装置１０は、図１に示すように、２：２の光カプラ１１と、光カプラ１１と２心双方向通信装置の光送信部１とを接続するための第１のレセプタクル１２1と、光カプラ１１と２心双方向通信装置の光受信部２とを接続するための第２のレセプタクル１２2と、光カプラ１１と光ファイバ心線３とを接続するための第３のレセプタクル１２3と、光カプラ１１と接続された第４のレセプタクル１２4と、光カプラ１１と第１のレセプタクル１２1との間に設けられたかつ反射光が第１のレセプタクル１２1に入射するのを防止するための光アイソレータ１３と、第４のレセプタクル１２4の光カプラ１１と反対側に取り付けられた無反射終端コネクタ１４とを備える。
【００１０】
次に、第１の光端局に設けられた第１の２心双方向通信装置５０および第２の光端局に設けられた第２の２心双方向通信装置６０を接続する２本の光ファイバ心線７１，７２のうちの１本の光ファイバ心線７１が切断した場合に、生きている方の光ファイバ心線７２のみを介して第１および第２の２心双方向通信装置５０，６０間の通信を回復する方法について、図２および図３を参照して説明する。
【００１１】
第１の２心双方向通信装置５０と第２の２心双方向通信装置６０とを接続する２本の光ファイバ心線７１，７２のうちの１本の光ファイバ心線７１が事故などにより切断した場合には、まず、２本の光ファイバ心線７１，７２を第１および第２の２心双方向通信装置５０，６０から切り離す（第１のステップＳ１１）。
【００１２】
続いて、以下のようにして、第１の２心双方向通信装置５０に単心双方向通信アダプタ装置１０を接続するとともに、第２の２心双方向通信装置６０に他の単心双方向通信アダプタ装置１０を接続する（第２のステップＳ１２）。
図３に示すように、第１の２心双方向通信装置５０の光送信部５１と単心双方向通信アダプタ装置１０の第１のレセプタクル１２1とを光学的に接続するととともに、第１の２心双方向通信装置５０の光受信部５２と単心双方向通信アダプタ装置１０の第２のレセプタクル１２2とを光学的に接続することにより、第１の２心双方向通信装置５０に単心双方向通信アダプタ装置１０を接続する。
同様に、第２の２心双方向通信装置６０の光送信部６１と他の単心双方向通信アダプタ装置１０の第１のレセプタクル１２1とを光学的に接続するととともに、第２の２心双方向通信装置６０の光受信部６２と他の単心双方向通信アダプタ装置１０の第２のレセプタクル１２2とを光学的に接続することにより、第２の２心双方向通信装置６０に他の単心双方向通信アダプタ装置１０を接続する。
【００１３】
続いて、第１の２心双方向通信装置５０に接続された単心双方向通信アダプタ装置１０の第３のレセプタクル１２3と第２の２心双方向通信装置６０に接続された他の単心双方向通信アダプタ装置１０の第３のレセプタクル１２3とに、生きている方の光ファイバ心線７２の両端をそれぞれ接続することにより、２つの単心双方向通信アダプタ装置１０を光ファイバ心線７２を介して接続する（第３のステップＳ１３）。
【００１４】
続いて、以下のようにして、第１および第２の２心双方向通信装置５０，６０間の通信テストを行う（第４のステップＳ１４）。
【００１５】
第１の２心双方向通信装置５０から第２の２心双方向通信装置６０に光信号を送信するテストでは、第１の２心双方向通信装置５０の光送信部５１から光信号が出力される。この光信号は、第１の２心双方向通信装置５０に接続された単心双方向通信アダプタ装置１０の第１のレセプタクル１２1および光アイソレータ１３を介して光カプラ１１に入力されて分岐される。このとき、光カプラ１１から第４のレセプタクル１２4に向けて出力される光信号は、第４のレセプタクル１２4を介して無反射終端コネクタ１４に入力されるため、光カプラ１１に再度入力されることはない。
また、光カプラ１１から第３のレセプタクル１２3に向けて出力される光信号は、第３のレセプタクル１２3を介して光ファイバ心線７２に入力されたのち、第２の２心双方向通信装置６０に接続された他の単心双方向通信アダプタ装置１０の第３のレセプタクル１２3を介して光カプラ１１に入力されて分岐される。このとき、光カプラ１１から第１のレセプタクル１２1に向けて出力される光信号は、光アイソレータ１３により第１のレセプタクル１２1に入力されることはない。一方、光カプラ１１から第２のレセプタクル１２2に向けて出力される光信号は、第２のレセプタクル１２2を介して第２の２心双方向通信装置６０の光受信部６２に入力される。これにより、第１の２心双方向通信装置５０から送信された光信号は第２の２心双方向通信装置６０に受信される。
【００１６】
また、第２の２心双方向通信装置６０から第１の２心双方向通信装置５０に光信号を送信するテストでは、第２の２心双方向通信装置６０の光送信部６１から光信号が出力される。この光信号は、第２の２心双方向通信装置６０に接続された他の単心双方向通信アダプタ装置１０の第１のレセプタクル１２1および光アイソレータ１３を介して光カプラ１１に入力されて分岐される。このとき、光カプラ１１から第４のレセプタクル１２4に向けて出力される光信号は、第４のレセプタクル１２4を介して無反射終端コネクタ１４に入力されるため、光カプラ１１に再度入力されることはない。
また、光カプラ１１から第３のレセプタクル１２3に向けて出力される光信号は、第３のレセプタクル１２3を介して光ファイバ心線７２に入力されたのち、第１の２心双方向通信装置５０に接続された単心双方向通信アダプタ装置１０の第３のレセプタクル１２3を介して光カプラ１１に入力されて分岐される。このとき、光カプラ１１から第１のレセプタクル１２1に向けて出力される光信号は、光アイソレータ１３により第１のレセプタクル１２1に入力されることはない。一方、光カプラ１１から第２のレセプタクル１２2に向けて出力される光信号は、第２のレセプタクル１２2を介して第１の２心双方向通信装置５０の光受信部５２に入力される。これにより、第２の２心双方向通信装置６０から送信された光信号は第１の２心双方向通信装置５０に受信される。
【００１７】
以上より、第１および第２の２心双方向通信装置５０，６０を接続する２本の光ファイバ心線７１，７２のうちの１本の光ファイバ心線７１が切断した場合でも、生きている方の光ファイバ心線７２を介して第１および第２の２心双方向通信装置５０，６０間の通信を回復することができるようになるため、切断した光ファイバ心線７１の代わりに光ファイバケーブル内の他の光ファイバ心線を用いる必要をなくすことができるようになる。
また、２本の光ケーブル心線７１，７２を収容する光ファイバケーブル自体が事故で切断しても、この光ファイバケーブルに接続されている第１および第２の２心双方向通信装置５０，６０に単心双方向通信アダプタ装置１０をそれぞれ接続することにより、１本の光ファイバ心線を介して第１および第２の２心双方向通信装置５０，６０間の通信を回復することができるようになるため、切断した光ファイバケーブルの代わりに他の既設の光ファイバケーブルを利用したり新たに光ファイバケーブルを設けたりして事故の回復を行う場合に従来よりも倍の数の２心双方向通信装置間の接続が可能となるので、光ファイバケーブルの有効利用が図れるようになる。
【００１８】
次に、本発明の２心双方向通信網における事故回復方法に用いることができる他の例の２心双方向通信装置用の単心双方向通信アダプタ装置（以下、「単心双方向通信アダプタ装置」と称する。）について、図４を参照して説明する。
本例による単心双方向通信アダプタ装置１１０は、図１に示した２：２の光カプラ１１の代わりに１：２の光カプラ１１１を備える点で、図１に示した単心双方向通信アダプタ装置１０と異なる。
本例による単心双方向通信アダプタ装置１１０では、２心双方向通信装置の光送信部１から出力される光信号は第１のレセプタクル１１２1，光アイソレータ１１３，光カプラ１１１および第３のレセプタクル１１２3を介して光ファイバ心線３に出力され、また、光ファイバ心線３から入力される光信号は第３のレセプタクル１１２3，光カプラ１１１および第２のレセプタクル１１２2を介して２心双方向通信装置の光受信部２に出力されるため、図１に示した第４のレセプタクル１２4と無反射終端コネクタ１４とは不要となる。
【００１９】
本例による単心双方向通信アダプタ装置１１０を第１の光端局に設けられた第１の２心双方向通信装置５０および第２の光端局に設けられた第２の２心双方向通信装置６０にそれぞれ接続して１本の光ファイバ心線７２のみを介して第１および第２の２心双方向通信装置５０，６０間で通信の回復を行うときの動作については、図２および図３を参照して上述した単心双方向通信アダプタ装置１０を用いたときの動作と同様であるので、その説明は省略する。
【００２０】
以上の説明では、第１のレセプタクル１２1，１１２1と光カプラ１１，１１１との間に光アイソレータ１３，１１３を設けたが、光アイソレータ１３，１１３は、光カプラ１１，１１１からの反射光の大きさや光カプラ１１，１１１の光分岐性能によっては必ずしも必要ではない。
【産業上の利用可能性】
【００２１】
本発明の２心双方向通信網における事故回復方法は、送信系と受信系とで別々の光ファイバ心線を用いて通信を行う２心双方向通信網において２つの２心双方向通信装置を接続する２本の光ファイバ心線のうちの１本が事故で切断した場合などにこの２つの２心双方向通信装置間の通信を回復する方法として使用することができる。
【図面の簡単な説明】
【００２２】
【図１】本発明の一実施例による２心双方向通信網における事故回復方法に用いることができる２心双方向通信装置用の単心双方向通信アダプタ装置の構成を示す機能ブロック図である。（実施例１）
【図２】本発明の一実施例による２心双方向通信網における事故回復方法を説明するためのフローチャートである。（実施例１）
【図３】本発明の一実施例による２心双方向通信網における事故回復方法を説明するための図である。（実施例１）
【図４】本発明の一実施例による２心双方向通信網における事故回復方法に用いることができる他の２心双方向通信装置用の単心双方向通信アダプタ装置の構成を示す機能ブロック図である。（実施例１）
【符号の説明】
【００２３】
１，５１，６１  光送信部
２，５２，６２  光受信部
３，７１，７２  光ファイバ心線
１０，１１０  単心双方向通信アダプタ装置
１１，１１１  光カプラ
１２1，１１２1  第１のレセプタクル
１２2，１１２2  第２のレセプタクル
１２3，１１２3  第３のレセプタクル
１２4  第４のレセプタクル
１３，１１３  光アイソレータ
１４  無反射終端コネクタ
５０  第１の２心双方向通信装置
６０  第２の２心双方向通信装置
Ｓ１１〜Ｓ１４  ステップ
【図１】
2005333311.tif 000003
【図２】
2005333311.tif 000004
【図３】
2005333311.tif 000005
【図４】
2005333311.tif 000006